(57)【要約】      （修正有）【課題】より多くのユーザに高い操作性を提供することができる携帯機器を提供する。【解決手段】本体ケース１２と、押しボタンスイッチを備えており、押しボタンスイッチのボタン３２が、本体ケース１２に対して、そのボタン３２が押される方向とは異なる方向にスライド可能であることを特徴とする携帯機器。この携帯機器によれば、ボタン３２をスライドすることで、ボタン３２の位置を調節することができる。【選択図】図２
2013055602.tif 000002
【特許請求の範囲】
【請求項１】
本体ケースと、押しボタンスイッチを備えており、
押しボタンスイッチのボタンが、本体ケースに対して、そのボタンが押される方向とは異なる方向にスライド可能であることを特徴とする携帯機器。
【請求項２】
複数の押しボタンスイッチを備えており、
複数の押しボタンスイッチのボタンが行を構成するように配列されており、
行が、本体ケースに対して、その行が伸びる方向に沿ってスライド可能であることを特徴とする請求項１に記載の携帯機器。
【請求項３】
前記行が、その行の中のボタンが携帯機器の左右方向の中心軸よりも右側に偏って配置される位置と、その行の中のボタンが携帯機器の左右方向の中心軸よりも左側に偏って配置される位置との間でスライド可能であることを特徴とする請求項２に記載の携帯機器。
【請求項４】
複数の押しボタンスイッチのボタンが複数の行を構成するように配列されており、
各行が、本体ケースに対して、自身が伸びる方向に沿ってスライド可能であり、
下側の行ほど、スライド可能な距離が大きいことを特徴とする請求項２または３に記載の携帯機器。
【請求項５】
行を構成するボタンを保持するとともに、本体ケースに対して、その行が伸びる方向に沿ってスライド可能な保持部材と、
行を構成するボタンと対向する位置に設置されている基板、
をさらに有しており、
各ボタンに接点電極が固定されており、
各接点電極に対向する基板上の各位置に、対向するボタンが押されたときにそのボタンの接点電極と接触する一対のペア電極が形成されており、
各ペア電極が、保持部材がスライド可能な方向に沿って延設されていることを特徴とする請求項２〜４の何れか一項に記載の携帯機器。
【請求項６】
行が、少なくとも３つのボタンを備えており、
前記少なくとも３つのボタンのうちの両側のボタンの接点電極の上下方向の位置が互いに重複しており、前記少なくとも３つのボタンのうちの中央のボタンの接点電極の上下方向の位置が前記両側のボタンの接点電極と重複しておらず、
前記両側のボタンの接点電極と対向する２つのペア電極の上下方向の位置が互いに重複しており、前記中央のボタンの接点電極と対向するペア電極の上下方向の位置が前記２つのペア電極と重複しておらず、
前記中央のボタンの接点電極と対向するペア電極の左右方向の位置が、前記２つのペア電極の何れとも重複している、
ことを特徴とする請求項５に記載の携帯機器。
【請求項７】
行を構成するボタンを保持するとともに、本体ケースに対して、その行が伸びる方向に沿ってスライド可能な保持部材と、
行を構成するボタンと対向する位置に設置されており、保持部材と共に本体ケースに対してスライド可能な基板、
をさらに有しており、
各ボタンに接点電極が固定されており、
各接点電極に対向する基板上の各位置に、対向するボタンが押されたときにそのボタンの接点電極に接する一対のペア電極が形成されていることを特徴とする請求項２〜４の何れか一項に記載の携帯機器。
【請求項８】
保持部材に接続されており、保持部材から保持部材がスライド可能な方向に沿って伸びており、本体ケース内で屈曲可能なフィルムをさらに有していることを特徴とする請求項５〜７の何れか一項に記載の携帯機器。
【発明の詳細な説明】
【技術分野】
【０００１】
本発明は、携帯機器に関する。
【背景技術】
【０００２】
一般に、携帯機器は、キースイッチ等の押しボタンスイッチを有している。ユーザは、携帯機器を把持し、その把持した手で携帯機器の押しボタンスイッチを操作する。特許文献１、２には、このような押しボタンスイッチの操作性を考慮して押しボタンスイッチを配置した携帯機器が開示されている。
【先行技術文献】
【特許文献】
【０００３】
【特許文献１】特開２００２−２１５２９１号公報
【特許文献２】特開２００９−９１９５号公報
【発明の概要】
【発明が解決しようとする課題】
【０００４】
人の手の大きさや形状は、人によって異なる。したがって、ユーザにとって操作し易い押しボタンスイッチの位置は、ユーザによって異なる。このため、上述した特許文献１、２に開示の携帯機器でも、ユーザが操作し難いと感じることがある。したがって、本明細書では、より多くのユーザに高い操作性を提供することができる携帯機器を提案する。
【課題を解決するための手段】
【０００５】
本明細書が開示する携帯機器は、本体ケースと、押しボタンスイッチを備えている。そして、押しボタンスイッチのボタンが、本体ケースに対して、そのボタンが押される方向とは異なる方向にスライド可能である。
【０００６】
このような構成によれば、ユーザは、ボタンをスライドさせることで、ボタンの位置を調節することができる。したがって、ユーザは、自身が操作し易い位置にボタンを配置して、携帯機器を操作することができる。
【０００７】
上述した携帯機器は、複数の押しボタンスイッチを備えており、複数の押しボタンスイッチのボタンが行を構成するように配列されていることが好ましい。そして、行が、本体ケースに対して、その行が伸びる方向に沿ってスライド可能であることが好ましい。
【０００８】
このような構成によれば、行単位でボタンの位置を調節することができる。
【０００９】
上述した携帯機器は、前記行が、その行の中のボタンが携帯機器の左右方向の中心軸よりも右側に偏って配置される位置と、その行の中のボタンが携帯機器の左右方向の中心軸よりも左側に偏って配置される位置との間でスライド可能であることが好ましい。
【００１０】
なお、本明細書において、「左」は、携帯機器の操作面（すなわち、押しボタンスイッチが配置されている面）を見るユーザの視点における左を意味し、「右」はそのユーザの視点における右を意味する。また、「左右方向の中心軸」とは、操作面を平面視したときに左右の面積比が同じになる軸を意味する。したがって、携帯機器は必ずしも左右対称の形状である必要はない。
【００１１】
このような構成によれば、右利きのユーザも、左利きのユーザも、自身が操作し易いように押しボタンスイッチの位置を調節することができる。
【００１２】
上述した携帯機器は、複数の押しボタンスイッチのボタンが複数の行を構成するように配列されており、各行が、本体ケースに対して、自身が伸びる方向に沿ってスライド可能であり、下側の行ほど、スライド可能な距離が大きいことが好ましい。
【００１３】
なお、本明細書において、「下」とは、携帯機器の操作面を見るユーザの視点における下を意味し、「上」はそのユーザの視点における上を意味する。
【００１４】
多くのユーザは、親指で押しボタンスイッチを操作する。このため、携帯機器を把持したときに親指の付け根付近に位置する押しボタンスイッチは、ユーザにとって操作し難い。このため、親指の付け根付近の押しボタンスイッチは、位置調節が必要になる。一方、親指の付け根から離れた位置に存在する押しボタンスイッチは、比較的操作し易いので、位置調節はそれほど必要ない。上述した携帯機器は、下側の行（すなわち、親指の付け根に近い行）ほどスライド可能な距離が大きいので、親指の付け根付近の押しボタンスイッチの位置を十分に調節することができる。一方、位置調節がそれほど必要ない上側の行はスライド可能な距離が小さくなっており、これによって、携帯機器の構造が単純化されている。
【００１５】
上述した携帯機器は、行を構成するボタンを保持するとともに、本体ケースに対して、その行が伸びる方向に沿ってスライド可能な保持部材と、行を構成するボタンと対向する位置に設置されている基板をさらに有していることが好ましい。各ボタンには、接点電極が固定されていることが好ましい。各接点電極に対向する基板上の各位置に、対向するボタンが押されたときにそのボタンの接点電極と接触する一対のペア電極が形成されていることが好ましい。そして、各ペア電極が、保持部材がスライド可能な方向に沿って延設されていることが好ましい。
【００１６】
このような構成によれば、ボタンが押されると、そのボタンの接点電極が対向するペア電極と接触し、その押しボタンスイッチがオンする。行を構成する各ボタンは、保持部材と共にスライドする。また、各ペア電極は、保持部材がスライド可能な方向に沿って延設されている。したがって、保持部材と共にボタンをスライドさせ、そのスライド後の位置でボタンを押しても、接点電極がペア電極と接触し、押しボタンスイッチをオンさせることができる。
【００１７】
上述した保持部材を有する携帯機器は、行が、少なくとも３つのボタンを備えていることが好ましい。前記少なくとも３つのボタンのうちの両側のボタンの接点電極の上下方向の位置が互いに重複しており、前記少なくとも３つのボタンのうちの中央のボタンの接点電極の上下方向の位置が前記両側のボタンの接点電極と重複していないことが好ましい。また、前記両側のボタンの接点電極と対向する２つのペア電極の上下方向の位置が互いに重複しており、前記中央のボタンの接点電極と対向するペア電極の上下方向の位置が前記２つのペア電極と重複していないことが好ましい。また、前記中央のボタンの接点電極と対向するペア電極の左右方向の位置が、前記２つのペア電極の何れとも重複していることが好ましい。
【００１８】
図６〜８は、上述した携帯機器を例示している。図６〜８は、携帯機器の操作面を平面視した図であり、ボタン３２ａ〜３２ｃと、これらの裏側に配置されている接点電極６０ａ〜６０ｃ及びペア電極７２ａ〜７２ｃを重ねて示している。ボタン３２ａが押されると、接点電極６０ａがペア電極７２ａと接触する。同様に、ボタン３２ｂが押されると、接点電極６０ｂがペア電極７２ｂと接触し、ボタン３２ｃが押されると、接点電極６０ｃがペア電極７２ｃと接触する。図６では、両側の接点電極６０ａ、６０ｃの上下方向の位置が互いに重複しており、中央の接点電極６０ｂの上下方向の位置が両側の接点電極６０ａ、６０ｃと重複していない。また、各ペア電極７２ａ〜７２ｃの上下方向の位置も、接点電極６０ａ〜６０ｃに合わせて配置されている。また、両側のペア電極７２ａ、７２ｃは、左右方向の位置が重複していない。また、中央のペア電極７２ｂは、範囲Ｘ１において左側のペア電極７２ａと左右方向の位置が重複しており、範囲Ｘ２において右側のペア電極７２ｃと左右方向の位置が重複している。図７は、図６の位置から左に距離Ｌ１だけ保持部材３４をスライドさせた状態を示し、図８は、図６の位置から右に距離Ｌ１だけ保持部材３４をスライドさせた状態を示している。図６〜８に示すように、この構成では、左右に距離Ｌ１ずつ保持部材３４をスライドさせても、各ボタン３２ａ〜３２ｃが押されたときに、各接点電極６０ａ〜６０ｃが、対応するペア電極と接触することができる。
一方、図１６、１７は、比較例の携帯機器のボタン３２ａ〜３２ｃ、接点電極６０ａ〜６０ｃ、及び、ペア電極７２ａ〜７２ｃの位置を示している。図１６では、全ての接点電極６０ａ〜６０ｃが、上下方向の位置が重複しないように配置されている。図１６の構成における保持部材３４をスライド可能な距離Ｌ２は、上述した図６〜８の構成におけるスライド可能な距離Ｌ１とほとんど変わらない。一方、この構成では、３つのペア電極７２ａ〜７２ｃを上下方向に３つ並べる必要があるので、各ペア電極７２ａ〜７２ｃの配線の幅や、その配線間のピッチが狭くなるという問題が生じる。また、図１７では、全ての接点電極６０ａ〜６０ｃが、左右方向に一列に配置されており、これに合わせて、ペア電極７２ａ〜７２ｃも左右方向に配列されている。図１７の構成では、各ペア電極７２ａ〜７２ｃの左右方向の長さが短くなるので、保持部材３４をスライドさせることができる距離Ｌ３が上述した距離Ｌ１より短くなる。
このように、上述した図６〜８に示す構成によれば、保持部材をスライドさせることができる距離を長くすることができるとともに、各ペア電極の配線を余裕を持って配置することができる。
【００１９】
行を構成するボタンを有する携帯機器は、以下のように構成されていてもよい。この携帯機器は、行を構成するボタンを保持するとともに、本体ケースに対して、その行が伸びる方向に沿ってスライド可能な保持部材と、行を構成するボタンと対向する位置に設置されており、保持部材と共に本体ケースに対してスライド可能な基板をさらに有している。各ボタンに、接点電極が固定されている。各接点電極に対向する基板上の各位置に、対向するボタンが押されたときにそのボタンの接点電極に接する一対のペア電極が形成されている。
【００２０】
この構成では、保持部材と共に基板がスライドする。したがって、接点電極とペア電極の位置関係によってスライド可能な距離が制限されることがない。すなわち、この構成によれば、スライド可能な距離をより長くすることができる。
【００２１】
上述した何れかの携帯機器は、保持部材に接続されており、保持部材から保持部材がスライド可能な方向に沿って伸びており、本体ケース内で屈曲可能なフィルムをさらに有していることが好ましい。
【００２２】
このような構成によれば、保持部材をスライドさせたときに、本体ケースと保持部材の間の隙間がフィルムで覆われる。これにより、本体ケースの内部（基板等）が外部に露出することが防止される。
【図面の簡単な説明】
【００２３】
【図１】実施例１のＲＦＩＤリーダライタ１０の正面図（操作面を示す図）。
【図２】各スライドユニット３０を、可動範囲内の最も左側に配置した状態を示す図。
【図３】各スライドユニット３０を、可動範囲内の最も右側に配置した状態を示す図。
【図４】右手で操作する際における各スライドユニット３０の配置を例示する図。
【図５】左手で操作する際における各スライドユニット３０の配置を例示する図。
【図６】図１の最も下側のスライドユニット３０の拡大図。
【図７】図２の最も下側のスライドユニット３０の拡大図。
【図８】図３の最も下側のスライドユニット３０の拡大図。
【図９】図１のＩＸ−ＩＸ線におけるＲＦＩＤリーダライタ１０の断面図。
【図１０】スライドユニット３０ａを左側にスライドさせた状態のＲＦＩＤリーダライタ１０の図９に対応する断面図。
【図１１】スライドユニット３０ａを右側にスライドさせた状態のＲＦＩＤリーダライタ１０の図９に対応する断面図。
【図１２】実施例２のＲＦＩＤリーダライタの図９に対応する断面図。
【図１３】スライドユニット３０を左側にスライドさせた状態の実施例２のＲＦＩＤリーダライタの図９に対応する断面図。
【図１４】ＲＦＩＤリーダライタの他の使用方法を示す図。
【図１５】ＲＦＩＤリーダライタの他の使用方法を示す図。
【図１６】第１比較例の携帯機器のボタンと接点電極とペア電極の位置を示す図。
【図１７】第２比較例の携帯機器のボタンと接点電極とペア電極の位置を示す図。
【発明を実施するための形態】
【実施例１】
【００２４】
図１に示すＲＦＩＤリーダライタ１０は、本体ケース１２と、本体ケース１２に設置されている液晶画面１４を有している。液晶画面１４には、ＲＦＩＤリーダライタ１０がＲＦＩＤタグから読み出した情報や、その他の種々の情報が表示される。液晶画面１４の下側には、操作領域１６が設けられている。操作領域１６には、４つのスライドユニット３０と、電源ボタン２０が設置されている。各スライドユニット３０は、３つのボタン３２を有している。ユーザは、スライドユニット３０のボタン３２、電源ボタン２０、または、その他の図示しないキースイッチ等によって、ＲＦＩＤリーダライタ１０を操作することができる。
【００２５】
各スライドユニット３０は、本体ケース１２に対してスライドするスライド板３４を有している。スライド板３４は、ＲＦＩＤリーダライタ１０の左右方向にスライドする。各スライド板３４は、独立してスライドすることができる。スライド板３４がスライドすることで、スライドユニット３０全体がスライドする。各スライド板３４に、３つのボタン３２が設置されている。ボタン３２は、押しボタンスイッチのボタンである。各スライド板３４に設置されている３つのボタン３２は、左右方向に直線状に並んで行を構成している。各スライドユニット３０は、図２に示す位置と図３に示す位置の間でスライドすることができる。なお、図２、３の中心軸ＣＬは、ＲＦＩＤリーダライタ１０の左右方向の中心軸を示している。各スライドユニット３０は、自身が有する３つのボタン３２が図２に示すように中心軸ＣＬよりも左側に偏って配置される位置と、自身が有する３つのボタン３２が図３に示すように中心軸ＣＬよりも右側に偏って配置される位置との間でスライドすることができる。また、図２、３に示すように、下側に位置するスライドユニット３０ほど、スライド可能な距離が大きい。各スライドユニット３０は、自身がスライドする際に、本体ケース１２に対して摩擦が生じるように構成されている。したがって、ユーザが意図的に各スライドユニット３０をスライドさせない限り、各スライドユニット３０は摩擦力によって本体ケース１２に対して固定されている。
【００２６】
ユーザがＲＦＩＤリーダライタ１０を使用する際には、ユーザは各スライドユニット３０をスライドさせて、各ボタン３２の位置を調節することができる。すなわち、ＲＦＩＤリーダライタ１０を使用する際には、ユーザは、自身が操作し易い位置にボタン３２を配置した上で、ボタン３２を操作することができる。したがって、このＲＦＩＤリーダライタ１０は、多くのユーザに高い操作性を提供することができる。例えば、ユーザが右手でＲＦＩＤリーダライタ１０を操作する場合には、図４に示すように、右手の親指の付け根が、ＲＦＩＤリーダライタ１０の右下の角部２２に位置する。一般に、親指の付け根付近に位置するボタンは、ユーザにとって操作し難い。したがって、この場合には、図４に示すように、各スライドユニット３０を左側にスライドさせることで、各ボタン３２を操作し易い位置に移動させることができる。他方、ユーザが左手でＲＦＩＤリーダライタ１０を操作する場合には、図５に示すように、左手の親指の付け根が、ＲＦＩＤリーダライタ１０の左下の角部２４に位置する。したがって、この場合には、各スライドユニット３０を右側にスライドさせることで、各ボタン３２を操作し易い位置に移動させることができる。このように、各スライドユニット３０が中央から右側にも左側にもスライドすることができるので、ＲＦＩＤリーダライタ１０は、右利きのユーザにも左利きのユーザにも高い操作性を提供することができる。また、図４、５の何れにおいても、最も上側のスライドユニット３０は、ＲＦＩＤリーダライタ１０の左右方向の略中央に位置している。これは、最も上側のスライドユニット３０のボタン３２は、親指の付け根から遠いため操作し易く、位置調節の必要性があまり高くないためである。このように、位置調節の必要性がそれほど高くない上側のスライドユニット３０についてはスライド可能な距離を小さくすることで、ＲＦＩＤリーダライタ１０の構造を単純化することができる。
【００２７】
次に、スライドユニット３０の構造について詳しく説明する。なお、各スライドユニット３０の構造は略等しいので、以下では最も下側のスライドユニット３０について説明する。以下では、最も下側のスライドユニット３０を、スライドユニット３０ａという。
【００２８】
図１、６に示すように、本体ケース１２には、左右方向に伸びるガイドレール４０が形成されている。スライドユニット３０ａのスライド板３４は、一対のガイドレール４０の間に嵌め込まれている。スライド板３４は、一対のガイドレール４０によって、左右方向にスライド可能に支持されている。
【００２９】
図９に示すように、スライド板３４には、３つの貫通孔３６が形成されている。各貫通孔３６内に、ボタン３２が設置されている。各ボタン３２は、スライド板３４に対して、スライド板３４の厚み方向に沿って移動できるように支持されている。各ボタン３２は、図示しないバネ部材によって、ボタン３２の表側に向かって付勢されている。以下では、図９において、左側のボタン３２をボタン３２ａといい、中央のボタン３２をボタン３２ｂといい、右側のボタン３２をボタン３２ｃという場合がある。
【００３０】
本体ケース１２のスライドユニット３０が設置されている領域には、貫通孔５０が形成されている。スライド板３４及びボタン３２の裏面には、フィルム５２が固定されている。フィルム５２は、スライド板３４から、左右に伸びている。本体ケース１２の内部には、２つのガイド部材５４が設置されている。フィルム５２の右側の部分は、本体ケース１２の内面に沿って折れ曲がり、その先端が本体ケース１２とガイド部材５４の間に収容されている。フィルム５２の左側の部分は、本体ケース１２の内面に沿って折れ曲がり、その先端が本体ケース１２とガイド部材５４の間に収容されている。
【００３１】
フィルム５２の裏面には、３つの接点電極６０ａ〜６０ｃが形成されている。接点電極６０ａは、左側のボタン３２ａの裏側の位置に固定されている。接点電極６０ａは、ボタン３２ａの右寄りの位置に固定されている。接点電極６０ｂは、中央のボタン３２ｂの裏側の位置に固定されている。接点電極６０ｂは、ボタン３２ｂの左右方向の略中央の位置に固定されている。接点電極６０ｃは、右側のボタン３２ｃの裏側の位置に固定されている。接点電極６０ｃは、ボタン３２ｃの左寄りの位置に固定されている。図６に示すように、接点電極６０ａは、上下方向の位置が、接点電極６０ｃと略一致するように形成されている。また、接点電極６０ｂは、接点電極６０ａ、６０ｃよりも下側に形成されている。
【００３２】
図９に示すように、本体ケース１２の内部には、基板７０が設置されている。基板７０は、ボタン３２ａ〜３２ｃと対向する位置に設置されている。基板７０のボタン３２ａ〜３２ｃと対向している面には、３つのペア電極７２ａ〜７２ｃが形成されている。図６に示すように、各ペア電極は、互いに分離されている一対の電極により構成されている。ペア電極を構成する各電極は、左右方向に伸びている。ペア電極７２ａは、接点電極６０ａと対向する位置に形成されている。ペア電極７２ｂは、接点電極６０ｂと対向する位置に形成されている。ペア電極７２ｃは、接点電極６０ｃと対向する位置に形成されている。このため、ペア電極７２ａは、上下方向の位置が、ペア電極７２ｃと略一致するように形成されており、ペア電極７２ｂは、ペア電極７２ａ、７２ｃよりも下側に形成されている。また、ペア電極７２ｂは、左右方向の位置が、ペア電極７２ａ、７２ｃの何れとも重複するように形成されている。スライドユニット３０ａが、ＲＦＩＤリーダライタ１０の左右方向の中央に位置している状態では、各接点電極６０ａ〜６０ｃが、対向するペア電極７２ａ〜７２ｃの左右方向の中央に位置している。
【００３３】
ユーザがボタン３２ａを押すと、ボタン３２ａが基板７０に向かって移動する。すると、接点電極６０ａが、ペア電極７２ａを構成する一対の電極と接触し、その一対の電極が互いに導通する。ユーザがボタン３２ａを放すと、図示しないバネ部材によってボタン３２ａが元の位置に戻され、接点電極６０ａがペア電極７２ａと非接触となる。このように、ボタン３２ａ、接点電極６０ａ、及び、ペア電極７２ａによって、押しボタンスイッチが構成されている。同様に、ボタン３２ｂ、接点電極６０ｂ、及び、ペア電極７２ｂによって押しボタンスイッチが構成されており、ボタン３２ｃ、接点電極６０ｃ、及び、ペア電極７２ｃによって押しボタンスイッチが構成されている。
【００３４】
図７、１０は、スライドユニット３０ａを左側にスライドさせた状態を示している。各ペア電極７２ａ〜７２ｃがスライドユニット３０ａのスライド方向に沿って伸びているので、スライドユニット３０ａを左側に移動させても、接点電極６０ａ〜６０ｃと対向する位置にペア電極７２ａ〜７２ｃが存在する。したがって、スライドユニット３０ａを左側にスライドさせた状態でも、ボタン３２ａ〜３２ｃを押すことで、押しボタンスイッチをスイッチングさせることができる。また、このようにスライドユニット３０ａをスライドさせると、ＲＦＩＤリーダライタ１０の操作面に貫通孔５０が現れる。しかしながら、貫通孔５０は、フィルム５２によって閉じられるので、貫通孔５０を介して本体ケース１２の内部が露出することはない。これによって、ＲＦＩＤリーダライタ１０の信頼性が確保される。
【００３５】
また、図８、１１に示すように、スライドユニット３０ａを右側にスライドさせた場合でも、左側にスライドさせた場合と同様に、各押しボタンスイッチをスイッチングさせることができる。また、この場合も、貫通孔５０がフィルム５２によって閉じられるので、本体ケース１２の内部が露出することが防止される。
【００３６】
また、図６〜８のように各接点電極６０ａ〜６０ｃ及び各ペア電極７２ａ〜７２ｃを形成することで、各ペア電極７２ａ〜７２ｃを構成する配線の太さ及びピッチを小さくすることなく、スライドユニット３０ａのスライド可能距離を確保することができる。
【実施例２】
【００３７】
実施例２のＲＦＩＤリーダライタでは、ペア電極が設けられている基板の構造が、実施例１のＲＦＩＤリーダライタ１０とは異なる。図１２に示す実施例２のＲＦＩＤリーダライタでは、ペア電極７２ａ〜７２ｃが形成されている基板１７０が、スライドユニット３０毎に分割されている。そして、基板１７０が、スライド板３４に固定されている。したがって、図１３に示すように、スライドユニット３０をスライドさせると、スライドユニット３０と共に基板１７０がスライドする。したがって、この構成では、接点電極６０ａ〜６０ｃとペア電極７２ａ〜７２ｃの相対位置が変化しない。このため、接点電極とペア電極の相対位置に基づく制限を受けることなく、より自由な設計が可能となる。例えば、スライドユニット３０のスライド可能距離をより長くすることもできる。なお、実施例２の構成では、接点電極６０ａ〜６０ｃとペア電極７２ａ〜７２ｃの相対位置が変化しないので、ペア電極７２ａ〜７２ｃを左右方向に長く形成していない。
【００３８】
なお、上述した実施例では、ＲＦＩＤリーダライタの使用方法の例として、図４、５の方法を説明した。しかしながら、他の方法により使用してもよい。例えば、図１４に示すように、操作し難い最も下側のスライドユニット３０のみの位置を調節してもよい。また、例えば、図１５に示すように、上側のスライドユニット３０と下側のスライドユニット３０とを逆方向にスライドさせてもよい。
【００３９】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４０】
１０：ＲＦＩＤリーダライタ
１２：本体ケース
１４：液晶画面
１６：操作領域
２０：電源ボタン
３０：スライドユニット
３２：ボタン
３４：スライド板
４０：ガイドレール
５２：フィルム
５４：ガイド部材
６０ａ〜６０ｃ：接点電極
７０：基板
７２ａ〜７２ｃ：ペア電極
【図１】
2013055602.tif 000003
【図２】
2013055602.tif 000004
【図３】
2013055602.tif 000005
【図４】
2013055602.tif 000006
【図５】
2013055602.tif 000007
【図６】
2013055602.tif 000008
【図７】
2013055602.tif 000009
【図８】
2013055602.tif 000010
【図９】
2013055602.tif 000011
【図１０】
2013055602.tif 000012
【図１１】
2013055602.tif 000013
【図１２】
2013055602.tif 000014
【図１３】
2013055602.tif 000015
【図１４】
2013055602.tif 000016
【図１５】
2013055602.tif 000017
【図１６】
2013055602.tif 000018
【図１７】
2013055602.tif 000019